(57)【要約】 【課題】  組み立ての端子処理が簡単で工数が低減され、引き出し線にテンションがかからない、かつ巻き太りによる寸法の超過を防止した、インダクタおよびインダクタ用端子ならびにインダクタの製造方法を得る。【解決手段】  プレート状の磁性体コア５と、ポット状の磁性体コア５ａとでなる磁性材料コアと、巻線１とインダクタ用端子４とで構成されるインダクタであって、前記インダクタ用端子４ａは、前記プレート状の磁性体コア５に配置され、前記インダクタ用端子４ａは、固定部分２と、前記固定部分２から略直角に折り曲げられたワイヤ保持部３とで構成され、ワイヤ保持部３は、前記固定部分２と反対側の面に空隙部を有し、中央に前記空隙部と通じる円形状の中空部を有し、前記巻線１のワイヤ端部７ａが、前記円形状の中空部に配置され、ワイヤ端部７ａが、ワイヤ保持部３のかしめによって上下方向に仮固定されて半田６によって半田処理されたインダクタとする。【選択図】  図１
2005159006.tif 000002
【特許請求の範囲】
【請求項１】
プレート状の磁性体コアと、ポット状の磁性体コアとでなる磁性材料コアと、巻線とインダクタ用端子とで構成されるインダクタにおいて、前記インダクタ用端子は、前記プレート状の磁性体コアあるいはポット状の磁性体コアに配置され、該インダクタ用端子は、固定部分と、該固定部分から略直角に折り曲げられた、ワイヤ保持部とで構成され、前記ワイヤ保持部は、前記固定部分と反対側の面に空隙部を有し、中央に該空隙部と通じる円形状の中空部を有し、前記巻線のワイヤ端部が、前記円形状の中空部に配置され、該ワイヤ端部が、前記ワイヤ保持部のかしめによって、前記空隙部より外れないように仮固定されて半田処理されたことを特徴とするインダクタ。
【請求項２】
固定部分と、該固定部分から略直角に折り曲げられた、ワイヤ保持部とで構成されたインダクタ用端子であって、前記ワイヤ保持部は、前記固定部分と反対側の面に空隙部を有し、中央は前記空隙部と通じる円形状の中空部であり、前記固定部分は、インダクタを構成する磁性体コアに配置され、前記ワイヤ保持部は、前記固定部分と反対側の面に空隙部を有し、中央に該空隙部と通じる円形状の中空部を有し、前記インダクタの巻線のワイヤ端部を、前記円形状の中空部に配置し、該ワイヤ端部を、該ワイヤ保持部のかしめによって、前記空隙部より外れないように固定できることを特徴とするインダクタ用端子。
【請求項３】
プレート状の磁性体コアと、ポット状の磁性体コアとでなる磁性材料コアと巻線とインダクタ用端子とを組み立てて形成するインダクタの製造方法において、前記インダクタ用端子を、前記プレート状の磁性体コアあるいはポット状の磁性体コアに配置し、該インダクタ用端子は、固定部分と、該固定部分から略直角に折り曲げたワイヤ保持部とで構成し、前記ワイヤ保持部は、前記固定部分と反対側の面に空隙部を有し、中央に該空隙部と通じる円形状の中空部を有し、前記巻線のワイヤ端部を、前記円形状の中空部に配置し、ついで、ワイヤ保持部のかしめによって、ワイヤ端部を仮固定し、半田処理し、前記磁性材料コアを形成するようにポット状の磁性体コアあるいはプレート状の磁性体コアを装着することを特徴とするインダクタの製造方法。
【発明の詳細な説明】
【技術分野】
【０００１】
本発明は、主として携帯端末、電源機器などに使用されるのに好適なインダクタおよびインダクタ用端子ならびにインダクタの製造方法に関する。
【背景技術】
【０００２】
従来のコイル、トランス等のインダクタは、磁性材と巻線と、コイルボビンとで構成されており、前記ボビンには、端子が配置され、前記巻線の引き出し線が、前記端子に巻かれて、半田処理される構成が一般的である。
【０００３】
特許文献１には、コイルのコイルボビンの端子取り付け部に、巻線の引き出し部を巻いて固定する方法が記載されている。また、特許文献２には、トランスにて、コイルボビンの端子取り付け部に、一次巻線および二次巻線を巻いて固定する方法が記載されている。
【０００４】
図３は、従来のまた別のインダクタの一部を示す斜視図である。この従来のインダクタは、 磁性材料コアと巻線１１とインダクタ用端子４１ａとで構成されるインダクタであって、図３の部品とここには示されていないポット状の磁性体コアを組み合わせて構成される。前記インダクタ用端子４１ａは、前記磁性材料コアの、プレート状の磁性体コア５１に配置され、このインダクタ用端子４１ａは、固定部分２１と、この固定部分２１から略直角に折り曲げられた、ワイヤ保持部３１とで構成され、ワイヤ保持部３１は、コの字型形状であって、前記巻線１１のワイヤ端部７１ａ、７１ｂが、前記ワイヤ保持部３１のコの字型形状の部分に巻かれて、半田６１にて半田処理されている。
【０００５】
【特許文献１】特開２００２−２９９１３１号公報
【特許文献２】特開２００２−２３１５３８号公報
【発明の開示】
【発明が解決しようとする課題】
【０００６】
従来のインダクタは、端子に２ターン程度巻線し、半田処理する。この場合、以下の問題点がある。
（１）２ターン程度ワイヤ端部を、端子に巻くため、製造の工数がかかるという問題。
（２）ワイヤ端部を、引き出す時に、ワイヤにテンションがかかり、半田固定後も前記テンションが残る。
（３）ワイヤ端部を、端子に巻くことにより、巻き太りによってインダクタの外周の寸法が超過してしまう。
【０００７】
従って、本発明の目的は、組み立て時の端子処理が簡単で工数が低減される、引き出し線にテンションがかからない、かつ巻き太りによる寸法の超過を防止した、インダクタおよびインダクタ用端子ならびにインダクタの製造方法を提供することである。
【課題を解決するための手段】
【０００８】
本発明のインダクタは、プレート状の磁性体コアと、ポット状の磁性体コアとでなる磁性材料コアと、巻線とインダクタ用端子とで構成されるインダクタにおいて、前記インダクタ用端子は、前記プレート状の磁性体コアあるいはポット状の磁性体コアに配置され、前記インダクタ用端子は、固定部分と、該固定部分から略直角に折り曲げられた、ワイヤ保持部とで構成され、前記ワイヤ保持部は、前記固定部分と反対側の面に空隙部を有し、中央に前記空隙部と通じる円形状の中空部を有し、前記巻線のワイヤ端部が、前記円形状の中空部に配置され、ワイヤ端部が、前記ワイヤ保持部のかしめによって前記空隙部より外れないように上下方向に仮固定されて半田処理されたインダクタである。
【０００９】
また、本発明は、固定部分と、該固定部分から略直角に折り曲げられた、ワイヤ保持部とで構成されたインダクタ用端子であって、前記ワイヤ保持部は、前記固定部分と反対側の面に空隙部を有し、中央は前記空隙部と通じる円形状の中空部であり、前記固定部分は、インダクタを構成するプレート状の磁性体コアあるいはポット状の磁性体コアに配置され、前記ワイヤ保持部の形状は、前記固定部分と反対側の面に空隙部を有し、中央に該空隙部と通じる円形状の中空部を有し、前記インダクタの巻線のワイヤ端部を、前記円形状の中空部に配置し、該ワイヤ端部を、該ワイヤ保持部のかしめによって前記空隙部より外れないように上下方向に固定できるインダクタ用端子である。  
【００１０】
また、本発明は、プレート状の磁性体コアと、ポット状の磁性体コアとでなる磁性材料コアと巻線とインダクタ用端子とを組み立てて形成するインダクタの製造方法において、該インダクタ用端子を、前記プレート状の磁性体コアあるいはポット状の磁性体コアに配置し、該インダクタ用端子は、固定部分と、前記固定部分から略直角に折り曲げたワイヤ保持部とで構成し、前記ワイヤ保持部は、前記固定部分と反対側の面に空隙部を有し、中央に該空隙部と通じる円形状の中空部を有し、該巻線のワイヤ端部を、前記空隙部を通過させて、前記円形状の中空部に配置し、ついで、ワイヤ保持部のかしめによって、ワイヤ端部を仮固定し、半田処理し、磁性体コアを形成するようにポット状の磁性体コアあるいはプレート状の磁性体コアを装着するインダクタの製造方法である。
【発明の効果】
【００１１】
本発明によれば、組み立て時の端子処理が簡単で工数が低減された、引き出し線にテンションがかからない、かつ巻き太りによる寸法の超過を防止したインダクタおよびインダクタ用端子ならびにインダクタの製造方法を提供できる。
【発明を実施するための最良の形態】
【００１２】
図１は、本発明の実施の形態によるインダクタの一部を示す斜視図である。また、図４は、本発明のインダクタの組み立ての説明図である。本実施の形態のインダクタは、プレート状の磁性体コア５と、ポット状の磁性体コア５ａとでなる磁性材料コアと、巻線１とインダクタ用端子４ａ，４ｂとで構成されるインダクタである。前記インダクタ用端子４ａ，４ｂは、前記プレート状の磁性体コア５に配置される。前記インダクタ用端子４ａは、固定部分２と、前記固定部分２から略直角に折り曲げられたワイヤ保持部３とで構成される。ワイヤ保持部３は、前記固定部分２と反対側の面に空隙部を有し、中央は前記空隙部と通じる円形状の中空部である。前記巻線１のワイヤ端部７ａを、前記円形状の中空部に配置し、ワイヤ端部７ａを、ワイヤ保持部３のかしめによって、空隙部を通って抜け出さないように、図の上下方向に仮固定して半田６によって半田処理を行う。
【００１３】
次に、図４に示すように、プレート状の磁性体コア５と巻線１とインダクタ用端子４ａにポット状の磁性体コア５ａを装着することによって、本実施の形態のインダクタが得られる。なお、上記では、インダクタ用端子４ａをプレート状の磁性体コア５に取り付けたが、ポット状の磁性体コア５ａにインダクタ用端子４ａを取り付け、巻線１を取り付けた後にプレート状の磁性体コア５を装着してもかまわない。
【００１４】
図２は、本発明の実施の形態によるインダクタ用端子の説明図である。図２（ａ）は、かしめ前の状態の説明図であり、図２（ｂ）は、かしめ後の状態の説明図である。図２（ａ）のごとく、巻線１のワイヤ端部７ａをワイヤ保持部３の空隙を通過させて、中空部に一度保持する。ついで、図２（ｂ）のごとくワイヤ保持部３の上側を、図の矢印の方向にかしめ、ワイヤ端部７ａが、再度、空隙部を通過して、はずれないように仮固定する。次ぎに、ワイヤ保持部３の外側に出ているワイヤ端部７ａの余剰分をカットし、ついで半田処理をする。
【００１５】
本発明のインダクタは、従来に比べて、以下の改善点がある。ワイヤ端部を、ワイヤ保持部に巻くことがないので、製造の工数が従来よりも削減される。また、ワイヤ端部は、テンションがかからない状態にて、ワイヤ保持部に固定される。更に、ワイヤ端部を、巻くことがないので、従来のような、巻き太りによるインダクタの外周の寸法の超過という問題点がない。
【図面の簡単な説明】
【００１６】
【図１】本発明の実施の形態によるインダクタの一部を示す斜視図。
【図２】本発明の実施の形態によるインダクタ用端子の説明図。図２（ａ）は、かしめ前の状態の説明図、図２（ｂ）は、かしめ後の状態の説明図。
【図３】従来のインダクタの一部を示す斜視図。
【図４】本発明あるいは従来のインダクタの組み立て説明図。
【符号の説明】
【００１７】
１，１１    巻線
３，３ａ    ワイヤ保持部
２，２ａ    固定部分
４，４ａ，４ｂ    インダクタ用端子
５，５１    プレート状の磁性体コア 
５ａ    ポット状の磁性体コア
７ａ，７ｂ ， ７１ａ，７１ｂ    ワイヤ端部
６，６１    半田
【図１】
2005159006.tif 000003
【図２】
2005159006.tif 000004
【図３】
2005159006.tif 000005
【図４】
2005159006.tif 000006